(57)【要約】【課題】  印刷機の版万力装置において、刷版の厚みに変更があったり、カム軸や万力蓋等に製造誤差や組付誤差が発生したとしても常に適正なくわえ力が得られくわえ力の調整を不要とし、刷版が版万力装置から外れたり、万力蓋が変形したりするようなことがないようにし、万力蓋に擦れや摩耗を発生させずに耐久性を向上させる。【解決手段】  版くわえ用カム軸２２の大径部２２ｂによって万力蓋１７を支持軸２３を中心として回動させ、万力台１６と万力蓋１７との各くわえ面１６ａ，１７ａで刷版の尻側端部をくわえる。万力蓋１７の貫通孔３１に嵌装された係合ピン３２の鍔３２ａと、貫通孔３１の大径部３１ａとの間に皿ばね３３が弾装され、版くわえ用カム軸２２の大径部２２ｂは鍔３２ａに対接している。【選択図】  図６
2009034911.tif 000002
【特許請求の範囲】
【請求項１】
万力台に対して揺動自在に支持され万力台と共に刷版の一端部をくわえる万力蓋と、この万力蓋を前記万力台に対して開閉させるカム軸とを備えた印刷機の版万力装置において、前記カム軸と万力蓋との間に弾性手段を介在させたことを特徴とする印刷機の版万力装置。
【請求項２】
前記弾性手段は、前記万力蓋に移動自在に支持されて前記カム軸と対向するピンと、前記万力蓋と前記ピンとの間に弾装された皿ばねとからなることを特徴とする請求項１記載の印刷機の版万力装置。
【発明の詳細な説明】
【技術分野】
【０００１】
本発明は、刷版を版胴に装着する印刷機の版万力装置に関するものである。
【背景技術】
【０００２】
従来の印刷機の版万力装置としては、万力台に対して揺動自在に支持され万力台と共に刷版をくわえる万力蓋と、この万力蓋を万力台に対して開閉させるカム軸とを備え、カム軸の大径部を万力蓋に対接させることにより、万力台と万力蓋とで刷版の一端部をくわえるものがある（例えば、特許文献１参照）。
【特許文献１】実用新案登録第２５４２５１０号公報（段落〔００１４〕および〔００１５〕、図４）
【発明の開示】
【発明が解決しようとする課題】
【０００３】
上述した従来の印刷機の版万力装置においては、カム軸と万力蓋とを直接対接させる構造であるため、刷版の厚みが変更されると適正なくわえ力が得られなくなることがある。このため、カム軸と万力蓋との間にシムと呼ばれる厚みがきわめて薄い調整片を挿入する調整作業が必要になることがあった。また、カム軸や万力蓋等に製造誤差や組付誤差が発生すると、カム軸から万力蓋を押圧する力が弱い場合と強い場合とがある。弱い場合は適正なくわえ力が得られない。また、強い場合は万力蓋が変形してしまい、この場合にも適正なくわえ力が得られない。このため、刷版が版万力装置から外れたり、万力蓋が変形したりするという問題もあった。また、金属どうしのカム軸と万力蓋とを直接対接させる構造であるため、万力蓋に擦れや摩耗が発生しやすく耐久性が劣るという問題もあった。
【０００４】
本発明は上記した従来の問題に鑑みなされたものであり、その目的とするところは、刷版の厚みに変更があったり、カム軸や万力蓋等に製造誤差や組付誤差が発生したとしても常に適正なくわえ力が得られくわえ力の調整を不要とし、刷版が版万力装置から外れたり、万力蓋が変形したりするようなことがないようにし、万力蓋に擦れや摩耗を発生させずに耐久性を向上させた印刷機の版万力装置を提供するところにある。
【課題を解決するための手段】
【０００５】
この目的を達成するために、本発明は、万力台に対して揺動自在に支持され万力台と共に刷版をくわえる蓋と、この蓋を前記万力台に対して開閉させるカム軸とを備えた印刷機の版万力装置において、前記カム軸と蓋との間に弾性手段を介在させたものである。
【０００６】
本発明は、前記発明において、前記弾性手段は、前記万力蓋に移動自在に支持されて前記カム軸と対向するピンと、前記万力蓋と前記ピンとの間に弾装された皿ばねとからなる。
【発明の効果】
【０００７】
本発明によれば、刷版の厚みに変更があったり、カム軸や万力蓋等に製造誤差や組付誤差が発生したとしても、これらの変更や誤差をカム軸と万力蓋との間に介在させた弾性手段の弾性力によって吸収することができる。このため、常に適正なくわえ力が得られるから、刷版が版万力装置から外れたり、万力蓋が変形したりするようなことがなく、くわえ力の調整作業も不要になる。また、カム軸と万力蓋との間に弾性手段を介在させたことにより、万力蓋に擦れや摩耗が発生するようなことがなく耐久性を向上させることができる。
【０００８】
また、前記発明のうちの一つの発明によれば、カム軸と万力蓋との間にピンおよび皿ばねを介装するようにしたことにより、万力蓋が摩耗したり変形したりするようなことがないから、誤って万力蓋を早期に交換してしまうことがない。また、ピンが摩耗してもピンが皿ばねによってカム軸方向へ付勢されているので、刷版を保持する保持力が低下することがない。また、摩耗によって交換する部材は、万力蓋ではなくピンで済むためコストが安くて済む。
【発明を実施するための最良の形態】
【０００９】
以下、本発明の実施の形態を図に基づいて説明する。図１は本発明に係る印刷機の版万力装置における版胴の右側半分を示す平面図、図２は図１におけるII-II 線断面図、図３は図１におけるIII-III 線断面図、図４は図１におけるIV-IV 線断面図、図５は図１におけるＶ部の拡大図、図６は図１におけるVI-VI 線断面図である。
【００１０】
図１に全体を符号１で示す版胴の外周部には、断面が略長方形状を呈し底面２ａを山形状に形成した切欠き２が、胴の略全長にわたって設けられており、この切欠き２の両端開口は円板状のベアラ３，３（一方のベアラ３は図示せず）によって閉塞されている。５は版胴１の軸線方向の全体にわたって設けられたくわえ側版万力であって、断面が略正方形状に形成され版胴１の軸線方向に延在する万力台６と、三つに分割して形成されたくわえ板７とによって構成されている。
【００１１】
この万力台６は、図示しない調節装置により切欠き２の底面に沿って版胴１の円周方向（矢印Ａ−Ｂ方向）へ移動調節できるように構成されている。８はベアラ３と万力台６の左右の端部との間に介装された調節ねじであって、ベアラ３と万力台６の左右の端部のねじ孔に両端のねじ部が螺合されている。この調節ねじ８の周面に設けた孔にスパナを挿入して回動操作することにより、万力台６の位置を版胴１の軸線方向に微調節できる。
【００１２】
前記三つに分割して形成されたくわえ板７は、平面視矩形状で全長が万力台６と略同長に形成されており、各くわえ板７は、支持ブロック９に設けられた水平方向に突出するピン９ａによって揺動自在に支持されている。各くわえ板７は、図２に示すカム軸１０を駆動装置（図示を省略）によって回動することにより、カム軸１０のカム部の作用で、各くわえ板７が揺動して万力台６のくわえ面６ａに対してくわえ板７のくわえ面７ａが開閉するように構成されている。
【００１３】
次に、図１ないし図５を用いて、三つの尻側版万力１５Ａないし１５Ｃについて説明する。図１において、これら尻側版万力１５Ａないし１５Ｃのうち、中央の尻側版万力１５Ｂは版胴１に対して版胴１の軸線方向の移動が規制された状態で設けられ、左右の尻側版万力１５Ｃ，１５Ａは版胴１の軸線方向に移動自在に設けられている。いずれの尻側版万力１５Ａないし１５Ｃも、くわえ側版万力５と平行に切欠き２内に設けられている。
【００１４】
また、これら尻側版万力１５Ａないし１５Ｃは、断面が略長方形状に形成され版胴１の軸線方向に延在する一つの万力台１６と、二つの万力蓋１７，１７と、三つのカム軸ホルダー１８，１８，１８とによって構成されている。このうち、万力台１６とカム軸ホルダー１８とは、図４に示すようにボルト１９，１９によって一体化されている。また、万力台１６は、図３に示すように、切欠き２の底面２ａにボルト２０，２０によって固定されたガイド部材２１によって、版胴１の円周方向（矢印Ａ−Ｂ方向）にわずかに移動可能なように支持されている。
【００１５】
カム軸ホルダー１８の貫通孔１８ａには、図２に示すように棒状に形成された版くわえ用カム軸２２が回動自在に支持されている。この版くわえ用カム軸２２は、万力台１６に対して万力蓋１７を開閉させるためのものであって、周面には平面状に形成された小径部２２ａと円弧状に形成された大径部２２ｂとが設けられている。
【００１６】
上記した万力台１６と万力蓋１７とは、切欠き２の円周方向に延在するくわえ面１６ａ，１７ａを互いに対向させて、これらくわえ面１６ａ，１７ａが離間・接近するように、支持軸２３を揺動支点として連結されている。これら万力台１６と万力蓋１７との間には、互いにくわえ面１６ａ，１７ａとを離間させる方向に付勢する圧縮コイルばね（図示せず）が弾装されている。
【００１７】
尻側版万力１５Ａとベアラ３との間には、図５に示すように尻側版万力１５Ａを版胴１の軸線方向に微移動させる調節ねじ２５が設けられている。すなわち、この調節ねじ２５のねじ部２５ａはベアラ３の雌ねじ部３ａに螺合しており、この調節ねじ２１は、頭部２５ｂの周面に設けた孔にスパナを挿入して回動操作することにより、版胴１の軸線方向へ移動する。この調節ねじ２５の頭部２５ｂは万力台１６とカム軸ホルダー１８とによって挟持されている。したがって、調節ねじ２５を版胴１の軸線方向へ移動させると、この移動に随伴して万力台１６とカム軸ホルダー１８も版胴１の軸線方向へ移動し、刷版の幅方向の見当調整が行われる。
【００１８】
切欠き２の壁面２ｂに形成された凹部２ｃ内には、図３に示すように平面状に形成された小径部２６ａと円弧状に形成された大径部２６ｂとで棒状に形成された版張り用カム軸２６が版胴１に回動自在に支持されている。２７は尻側版万力１５Ａないし１５Ｃの脱落を規制するガイドであって、切欠き２の壁面２ａの凹部２ｃにボルト２８によって固定されている。
【００１９】
３０は万力台１６の端面１６ｂに形成された非貫通孔に嵌挿されたくわえ量調整用のピンであって、切欠き２の円周方向（矢印Ａ−Ｂ方向）に延在し、先端が非貫通孔２６から突出した状態で切欠き２の壁面２ｂに対向している。このくわえ量調整用のピン３０は、図示を省略した調整手段によって万力台１６の端面１６ｂからの突出量を二段階に調整することが可能になっている。
【００２０】
次に、図６を用いて、万力台１６のくわえ面１６ａと万力蓋１７のくわえ面１７ａとによる刷版のくわえ構造について説明する。万力蓋１７は、くわえ面１７ａを有する頭部１７ｂと胴部１７ｃとによって断面への字状に形成されている。この万力蓋１７の胴部１７ｃには、一方の端部に大径部３１ａが形成された貫通孔３１が設けられており、この貫通孔３１には、鍔３２ａが設けられた係合ピン３２が、図１に鎖線で示す位置に嵌挿されている。この係合ピン３２の鍔３２ａと貫通孔３１の大径部３１ａとの間には、弾性体としての皿ばね３３が弾装されており、鍔３２ａには版くわえ用カム軸２２の大径部２２ｂが対接している。
【００２１】
次に、このように構成された印刷機の版万力装置において、刷版を版胴１の周面に装着する方法について説明する。予め、図６において版くわえ用カム軸２２の小径部２２ａを係合ピン３２の鍔３２ａに対向させた状態とし、万力台１６と万力蓋１７との各くわえ面１６ａ，１７ａ間に刷版を挿入するための隙間を形成する。また、図２において版張り用カム軸２６の小径部２６ａを万力台１６に対向させた状態とし、万力台１６を版張り方向とは反対方向（矢印Ｂ方向）に移動させておく。
【００２２】
ここで、印刷する紙が横目の場合には、図３において、くわえ量調整用のピン３０の万力台１６の端面１６ｂからの突出量を相対的に大きくする調整を行う。この状態としてから、刷版を版胴１に装着する。すなわち、図２において、くわえ側版万力５の万力台６およびくわえ板７の各くわえ面６ａ，７ａとの間に刷版のくわえ側端部を挿入し、図示を省略した駆動装置によってカム軸１０を回動させることにより、万力台６のくわえ面６ａに対してくわえ板７のくわえ面７ａを閉じ、刷版のくわえ側端部をくわえる。次いで、版胴を略１回転させ、尻側版万力１５Ａないし１５Ｃの万力台１６および万力蓋１７の各くわえ面１６ａ，１７ａとの間に刷版の尻側端部を挿入する。
【００２３】
そして、図６において、図示を省略した駆動装置によって版くわえ用カム軸２２を回動させ、大径部２２ｂを係合ピン３２の鍔３２ａに対接させることにより、万力蓋１７が支持軸２３を回動中心として図中反時計方向へ回動し、万力台１６のくわえ面１６ａに対して万力蓋１７のくわえ面１７ａが閉じられ刷版の尻側端部がくわえられる。このとき、係合ピン３２の鍔３２ａと貫通孔３１の大径部３１ａとの間に皿ばね３３が弾装されていることにより、万力蓋１７はこの皿ばね３３の弾発力によって反時計方向へ回動する。
【００２４】
このように、万力蓋１７は版くわえ用カム軸２２の大径部２２ｂが直接万力蓋１７に対接することにより回動するのではなく、皿ばね３３の弾発力を介して回動することにより、版くわえ用カム軸２２等に多少の製造誤差や組付誤差が発生したとしても、これらの誤差が皿ばね３３の弾発力によって吸収される。このため、常に、万力台１６と万力蓋１７との各くわえ面１６ａ，１７ａによるくわえ力にばらつきがなくなり一定となるため、これらくわえ面１６ａ，１７ａによって常に適正なくわえ力が得られ、刷版がくわえ面１６ａ，１７ａから外れたり、万力蓋１７が変形したりするようなことがない。
【００２５】
また、版くわえ用カム軸２２と万力蓋１７との間に皿ばね３３を介在させたことにより、版くわえ用カム軸２２によって万力蓋１７に擦れや摩耗が発生するようなことがなく、万力蓋１７の耐久性が向上する。また、刷版の厚みに変更があったとしても、皿ばね３３の弾性力によってこの変更を吸収することができ、常に適正なくわえ力が得られるためくわえ力の調整作業が不要になる。また、皿ばねは市販のものが使用でき、相対的に薄いにもかかわらず大きな付勢力を得ることができる。
【００２６】
また、このとき、くわえ量調整用のピン３０の万力台１６の端面１６ｂからの突出量を相対的に大きくする調整を行っていることにより、万力台１６の端面１６ｂと切欠き２の壁面２ｂとの間隔が相対的に大きく設定されている。したがって、これら万力台１６および万力蓋１７の各くわえ面１６ａ，１７ａ間にくわえられる刷版のくわえ量が相対的に少ない。
【００２７】
また版くわえ用カム軸２２と万力蓋１７との間に係合ピン３２および皿ばね３３を介装するようにしたことにより、万力蓋１７が摩耗したり変形したりするようなことがないから、誤って万力蓋１７を早期に交換してしまうことがない。また、係合ピン３２が摩耗しても係合ピン３２が皿ばね３３によって版くわえ用カム軸２２方向へ付勢されているので、刷版を保持する保持力が低下することがない。また、摩耗によって交換する部材は、万力蓋１７ではなく係合ピン３２で済むためコストが安くて済む。
【００２８】
この状態で、図２において、図示を省略した駆動装置によって版張り用カム軸２６を回動させ、大径部２６ｂを万力台１６の端面１６ｂに対接させることにより、刷版の尻側端部をくわえたまま万力台１６と万力蓋１７とが矢印Ａ方向に移動し、刷版が天地方向に引っ張られ緊張した状態で版胴１の周面に装着される。この場合、万力台１６および万力蓋１７の各くわえ面１６ａ，１７ａにくわえられる刷版のくわえ量が相対的に少ないことにより、刷版は引張り方向への弾性変形量が横目の紙に対応して天地方向が伸ばされる見当調整が行われる。
【００２９】
一方、印刷する紙が縦目の場合には、図３において、くわえ量調整用のピン３０の万力台１６の端面１６ｂからの突出量を相対的に小さくする調整を行う。この状態としてから、刷版を版胴１に装着する。このように、くわえ量調整用のピン３０の万力台１６の端面１６ｂからの突出量を相対的に小さくする調整を行っていることにより、万力台１６の端面１６ｂと切欠き２の壁面２ｂとの間隔が相対的に小さく設定されている。したがって、これら万力台１６および万力蓋１７の各くわえ面１６ａ，１７ａ間にくわえられる刷版のくわえ量が相対的に少ない。版胴１の周面に装着された刷版は、引張り方向への弾性変形量が縦目の紙に対応して天地方向が伸ばされる見当調整が行われる。
【００３０】
なお、本実施の形態においては、係合ピン３２の鍔３２ａと貫通孔３１の大径部３１ａとの間に皿ばね３３を弾装した例を説明したが、皿ばね３３に限定されず圧縮コイルばねでもよいし、皿ばね３３を弾装させずに係合ピン３２自体を硬質のゴム等の弾性体によって形成してもよい。
【図面の簡単な説明】
【００３１】
【図１】本発明に係る印刷機の版万力装置における版胴の右側半分を示す平面図である。
【図２】図１におけるII-II 線断面図である。
【図３】図１におけるIII-III 線断面図である。
【図４】図１におけるIV-IV 線断面図である。
【図５】図１におけるＶ部の拡大図である。
【図６】図１におけるVI-VI 線断面図である。
【符号の説明】
【００３２】
１…版胴、２…切欠き、５…くわえ側版万力、１５Ａないし１５Ｃ…尻側版万力、１６…万力台、１７…万力蓋、２２…版くわえ用カム軸、２６…版張り用カム軸、３１…貫通孔、３１ａ…大径部、３２…係合ピン、３２ａ…鍔、３３…皿ばね（弾性体）。
【図１】
2009034911.tif 000003
【図２】
2009034911.tif 000004
【図３】
2009034911.tif 000005
【図４】
2009034911.tif 000006
【図５】
2009034911.tif 000007
【図６】
2009034911.tif 000008